(57)【要約】【課題】消火栓扉を開放させても、それがホースのホース収納部からの引き出し作業やホース収納部への収納作業の邪魔になることがなく、それら作業を容易に行うことができる消火栓装置を得る。【解決手段】本体２の前面に設けられ、ホース収納部８の前方に位置する開口部１１ａを有する前面パネル１１と、前面パネル１１の開口１１ａ部を開閉可能にし、上側扉１２ａと下側扉１２ｂを有する消火栓扉１２とを備え、消火栓扉１２の上側扉１２ａと下側扉１２ｂを連結し、上側扉１２ａを下側扉１２ｂにほぼ折り重なるまで前傾方向に回転移動可能にする扉回動機構１２ｃと、消火栓扉１２本体と着脱可能にする扉着脱機構１４とを更に備える。【選択図】図２
2010104432.tif 000002
【特許請求の範囲】
【請求項１】
本体内に、ホースを内巻きに収納するホース収納部を備えた消火栓装置において、
該本体の前面に設けられ、該ホース収納部の前方に位置する開口部を有する前面パネルと、該前面パネルの開口部を開閉可能にし、上側扉と下側扉を有する消火栓扉とを備え、
更に、該消火栓扉の上側扉と下側扉を連結し、該上側扉を該下側扉にほぼ折り重なるまで前傾方向に回転移動可能にする扉回動機構と、該消火栓扉を該本体と着脱可能にする扉着脱機構とを備えていることを特徴とする消火栓装置。
【請求項２】
該扉着脱機構が、該消火栓扉と該本体との間に設けられた丸落とし機構であることを特徴とする請求項１記載の消火栓装置。
【請求項３】
該消火栓扉の下側扉の下部に設けられ、該本体の前面パネルの背面側から該前面パネルに当接可能な扉側当接片と、該前面パネルの側部に設けられ、該下側扉の背面側から該下側扉に当接可能なパネル側当接片とを含む該消火栓扉の位置決め手段を更に備え、該扉着脱機構が、該消火栓扉の下側扉の上方側部と該本体の前面パネルとの間に設けられていることを特徴とする請求項１又は２記載の消火栓装置。
【請求項４】
本体内に、ホースを内巻きに収納するホース収納部を備えた消火栓装置において、
該本体の前面に設けられ、該ホース収納部の前方に位置する開口部を有する前面パネルと、該前面パネルの開口部を開閉可能にし、上側扉と下側扉を有する消火栓扉とを備え、
更に、該消火栓扉の上側扉と下側扉を連結し、該上側扉を該下側扉にほぼ折り重なるまで前傾方向に回転移動可能にする第１の扉回動機構と、該下側扉と該本体を連結し、該下側扉を該本体に対して回転移動可能にする第２の扉回動機構とを備えていることを特徴とする消火栓装置。
【発明の詳細な説明】
【技術分野】
【０００１】
この発明は、消火栓装置、特にトンネル用の消火栓措置に関する。
【背景技術】
【０００２】
従来より、道路のトンネルにおける防災設備として消火栓装置が用いられている。
【０００３】
従来のトンネル用の消火栓装置は、例えば特開２００１−９５９４３号公報に示される様に、ホース収納部の前面に大きな一枚の前傾式の消火栓扉が設けられており、その消火栓扉を開放すれば、ホース収納部からホースを引き出したり、収納することができる様になっている（特許文献１参照）。
【特許文献１】特開２００１−９５９４３号公報
【発明の開示】
【発明が解決しようとする課題】
【０００４】
前記の様な消火栓装置において、消火栓扉は、一般に、前方に約９０度傾動させることで開放することができる様になっており、開放時には、前方に大きく突出し、避難用にも使用される監査員通路にまで及んでしまい、通行の邪魔になることがある。
【０００５】
又、消火栓装置は、１年に１〜２回、通水試験等のメンテナンス作業をする必要があり、その際、ホースのホース収納部からの引き出しや、ホース収納部への収納の作業が伴う場合があるが、その作業は前方に突出した消火栓扉越しの作業となるので、作業者にとって、容易であるとはいえない。
【０００６】
この発明は、前記の事情に鑑み、消火栓扉を開放させても、それがホースのホース収納部からの引き出し作業やホース収納部への収納作業の邪魔になることがなく、それら作業を容易に行うことができる消火栓装置を得ることを目的とする。
【課題を解決するための手段】
【０００７】
この発明は、本体内に、ホースを内巻きに収納するホース収納部を備えた消火栓装置において、該本体の前面に設けられ、該ホース収納部の前方に位置する開口部を有する前面パネルと、該前面パネルの開口部を開閉可能にし、上側扉と下側扉を有する消火栓扉とを備え、更に、該消火栓扉の上側扉と下側扉を連結し、該上側扉を該下側扉にほぼ折り重なるまで前傾方向に回転移動可能にする扉回動機構と、該消火栓扉を該本体と着脱可能にする扉着脱機構とを備えていることを特徴とする消火栓装置である。
【０００８】
又、この発明は、該扉着脱機構が丸落とし機構であることを特徴とする該消火栓装置である。
【０００９】
又、この発明は、該消火栓扉の下側扉の下部に設けられ、該本体の前面パネルの背面側から該前面パネルに当接可能な扉側当接片と、該前面パネルの側部に設けられ、該下側扉の背面側から該下側扉に当接可能なパネル側当接片とを含む該消火栓扉の位置決め手段を更に備え、該扉着脱機構が、該消火栓扉の下側扉の上方側部と該本体の前面パネルとの間に設けられていることを特徴とする該消火栓装置である。
【００１０】
尚、該パネル側当接片は該前面パネルの左右側部にそれぞれ設けられるものとすることができ、又、該扉着脱機構は、該下側扉上方の左右側部のそれぞれと該前面パネルとの間に左右一対に設けられるものとすることができる。
【００１１】
又、この発明は、本体内に、ホースを内巻きに収納するホース収納部を備えた消火栓装置において、該本体の前面に設けられ、該ホース収納部の前方に位置する開口部を有する前面パネルと、該前面パネルの開口部を開閉可能にし、上側扉と下側扉を有する消火栓扉とを備え、更に、該消火栓扉の上側扉と下側扉を連結し、該上側扉を該下側扉にほぼ折り重なるまで前傾方向に回転移動可能にする第１の扉回動機構と、該下側扉と該本体を連結し、該下側扉を該本体に対して回転移動可能にする第２の扉回動機構とを備えていることを特徴とする消火栓装置である。
【発明の効果】
【００１２】
この発明によれば、消火栓扉が上下に分割され、上側扉が下側扉にほぼ折り重なるまで前傾方向に回転移動可能になっているので、本体前方に消火栓扉がほぼ全く突出しない状態で、前面パネルの開口部を開口状態にすることができ、それにより、ホースのホース収納部からの引き出し作業の際に、消火栓扉が邪魔にならず、容易に、その作業をすることができ、又、消火栓扉が本体と着脱可能になっているので、消火栓扉を本体から取り外せば、当然、本体前方に消火栓扉が突出することなしに、前面パネルの開口部を全開の開口状態にすることができ、それにより、ホースのホース収納部への収納作業の際に、広く開口している開口部から、容易に、その作業をすることができる。
【００１３】
即ち、この発明によれば、消火栓扉を開放させても、それがホースのホース収納部からの引き出し作業やホース収納部への収納作業の邪魔にならず、それら作業を容易に行うことができる消火栓装置を得ることができる。
【００１４】
更に、この発明によれば、消火栓扉の取り外し作業の際に、上側扉と下側扉を折り重ねて小さくした状態で取り外すことができるので、その作業を容易にすることができる。
【００１５】
尚、この発明において、消火栓扉の着脱機構として、丸落とし機構等の着脱するのに工具を必要としない機構を用いることとすれば、消火栓扉の着脱作業を容易にすることができる。又、消火栓扉の着脱機構を下側扉の上方側部に設けることとすれば、着脱機構に作業者の手が届き易く、消火栓扉の着脱作業を容易にすることができる。更に、下側扉の下部に設けられ、本体の前面パネルの背面側から前面パネルに当接可能な扉側当接片と、前面パネル開口部の開口縁側部に設けられ、下側扉の背面側から下側扉に当接可能なパネル側当接片等からなる扉の前後から本体の前面パネル開口部に対する位置を規制する位置決め手段を設けることとすれば、消火栓扉をその前後方向からの位置決めを可能としつつ、扉側当接片が前面パネルに当接する箇所を支点として、消火栓扉を前傾方向に傾動させることができ、消火栓扉の本体への取り付け作業の際には、消火栓扉を位置決めした上で、消火栓扉を取り付けることができると共に、消火栓扉の本体からの取り外し作業の際には、消火栓扉を前傾方向に傾動させた上で、消火栓扉を取り外すことができ、即ち、消火栓扉の着脱作業を確実に、又容易にすることができる。
【発明を実施するための最良の形態】
【００１６】
この発明の実施の形態を図１及び図２に基づき説明する。尚、図１は、この発明の消火栓装置を示し、（ａ）が正面図、（ｂ）が平面図（内部の図示を含む）であり、図２は、同上を示し、（ａ）、（ｂ）何れも図１（ａ）のＡ−Ａ線断面図であり、（ａ）が消火栓扉の上側扉を下側扉に折り重なるまで回転移動する状態を示すもので、（ｂ）が消火栓扉を取り外す状態を示すものであり、図３は、同上を示し、図２（ａ）の部分拡大図であり、図４は、同上を示し、図１（ｂ）の部分拡大図である。
【００１７】
消火栓装置１は、本体２内に、消火栓弁３及びメンテナンス弁４等を有する配管部５、消火用ノズル６を有する消火用ホース７が内巻きに収納されるホース収納部８等を備えている。尚、９は消火器が収納される消火器収納部であり、１０は各種電気機器が設けられた電気機器部である。
【００１８】
本体２の前面には、本体２内のホース収納部８のホース引き出し口８ａ及び消火栓弁３等に面する開口部１１ａを有する前面パネル１１が設けられており、又、その前面パネル１１の開口部１１ａを開閉する消火栓扉１２が設けられている。
【００１９】
消火栓扉１２は、上下に分割され、上側扉１２ａと下側扉１２ｂとを有する。図１及び図３に詳細を示す様に、上側扉１２ａと下側扉１２ｂとの間には両者の扉連結・回動機構として、本実施の形態においては、両者の背面側に取り付けられたヒンジ構造を有する蝶番１２ｃ、１２ｃが設けられており、この蝶番１２ｃ、１２ｃによって、両者は連結されると共に、上側扉１２ａがその前傾方向（図２（ａ）のＡ１方向）に下側扉１２ｂにほぼ折り重なるまで回転移動可能で、且つ背面方向に下側扉１２ｂの上方に起立するまで回転移動可能になっている。尚、上側扉１２ａと下側扉１２ｂとの扉連結・回動機構は、前記の様に、両者を連結し、上側扉１２ａを回動させることができるものであればよく、前記蝶番１２ｃ、１２ｃによる機構に限定されるものではない。
【００２０】
１３、１３は、下側扉１２ｂの前面下方に左右一対に設けられたストップラバーであり、上側扉１２ａの前傾方向への回転移動に対するストッパであり、又緩衝部材である。
【００２１】
前記の様に、消火栓扉１２が、上下に分割され、その上側扉１２ａが前傾方向に下側扉１２ｂにほぼ折り重なるまで回転移動可能であることによって、上側扉１２ａを下側扉１２ｂにほぼ折り重なるまで折り返しして開放することで、本体２前方に消火栓扉１２がほぼ全く突出しない状態で、前面パネル１１の開口部１１ａを開口状態にすることができ、それにより、消火栓装置１によれば、消火用ホース７のホース収納部８からの引き出し作業の際に、消火栓扉１２が邪魔にならず、容易に、その作業をすることができる。
【００２２】
尚、１２ｄ、１２ｄは、上側扉１２の裏面上部に左右一対に設けられた磁石であり、これら磁石１２ｄ、１２ｄが前面パネル１１の開口部１１ａの開口縁上部に設けられた受け金具に接合することで、上側扉１２の閉止保持ができる様になっており、又、１２ｅ、１２ｅは、上側扉１２の前面上部に左右一対に設けられた開閉操作用のハンドルである。
【００２３】
更に、消火栓扉１２は、消火栓扉１２と本体２の前面パネル１１との間に設けられた扉着脱機構により、本体２と着脱可能となっている。本実施の形態においては、当該扉着脱機構として、着脱作業を工具なしに行うことができる様に、丸落とし１４が用いられており、又、それが、作業者の手が届き易くできる様に、下側扉１２ｂの上端近傍に設けられ、更に、消火栓扉１２を本体２に確実に取り付けることができる様に、消火栓扉１２の両側部に左右一対に設けられている。丸落とし１４は、図４にその詳細を示す様に、消火栓扉１２の背面に取り付けられており、前面パネル１１との間で、長さ方向に進退移動可能なロッド１４ａが、前面パネル１１の開口部１１ａの開口縁側部折り返し部１１ｅに形成された受け穴１１ｃに挿入されてその位置で移動がロックされることで、消火栓扉１２を前面パネル１１に結合保持することができ、ロッド１４ａの移動がアンロックされて、受け穴１１ｃから抜けることで、消火栓扉１２と前面パネル１１との結合保持状態が解除できる様になっている。尚、消火栓扉１２の本体２との扉着脱機構は、消火栓扉１２と本体２とを着脱できるものであればよく（例えばネジ止めでもよい。）、前記丸落とし１４、１４による機構に限定されるものでない。
【００２４】
前記の様に、消火栓扉１２が本体２と着脱可能であることによって、消火栓扉１２を取り外せば、本体２の前方に消火栓扉１２を突出させることなしに、前面パネル１１の開口部１１ａを全開の開口状態にすることができ、それにより、ホース７のホース収納部８への収納作業の際に、消火栓扉１２が邪魔にならないのは勿論のこと、全開の広く開口している開口部１１ａからその作業をすることができるので、容易に、その作業をすることができる。
【００２５】
尚、消火栓扉１２の取り外し作業の際には、上側扉１２ａと下側扉１２ｂをほぼ折り重ねた状態、即ち小さくした状態で取り外すことができるので（図２（ｂ）参照）、その作業を容易にすることができる。
【００２６】
更に、消火栓装置１には、消火栓扉１２の前面パネル１１の開口部１１ａとの位置決め手段として、下側扉１２ｂの下端部に、前面パネル１１の背面側より前面パネル１１に当接可能に設けられた扉側当接片１２ｆと、前面パネル１１の開口部１１ａの開口縁側部に左右一対、下側扉１２ｂの背面側より下側扉１２ｂに当接可能に設けられたパネル側当接片１１ｂ、１１ｂとを備えている。扉側当接片１２ｆは、下側扉１２ｂの下端部の背面側から下方に突出形成されている。パネル側当接片１１ｂ、１１ｂは、図１、図３及び図４に示すように、前面パネル１１の開口部１１ａの開口縁側部折り返し部１１ｅを、さらに開口部１１ａ内側に折り返して形成されている。そして、下側扉１２ｂの前方への移動は扉側当接片１２ｆが前面パネル１１の背面側より前面パネル１１に当接することで規制され、下側扉１２ｂの後方（本体２側方向）への移動は下側扉１２ｂがパネル側当接片１１ｂに当接することで規制され、消火栓扉１１の前後方向の位置決めができる様になっていつつ、扉側当接片１２ｆとパネル側当接片１１ｂの前記の配置構成により、下側扉１２ｂは扉側当接片１２ｆが前面パネル１１に当接する箇所を支点として、前方に傾動できる様にもなっている。この位置決め手段により、消火栓装置１は、消火栓扉１２の本体２への取り付け作業の際には、消火栓扉１２を扉側当接片１２ｆ及びパネル側当接片１１ｂによって位置決めした上で、消火栓扉１２の取り付けができると共に、消火栓扉１２の本体２からの取り外し作業の際には、消火栓扉１２をその前傾方向（図２（ｂ）のＡ２方向）に若干傾動させた上で、上方（図２（ｂ）のＡ３方向）に持ち上げて、消火栓扉１２を取り外すことができ、即ち、消火栓扉１２の着脱を確実に、又容易にすることができる。
【００２７】
前記の様に、消火栓装置１によれば、消火栓扉１２が、上下に分割され、その上側扉１２ａが前傾方向に下側扉１２ｂにほぼ折り重なるまで回転移動可能であることによって、本体２前方に消火栓扉１２がほぼ全く突出しない状態で、前面パネル１１の開口部１ａを開口状態にすることができ、それにより、ホース７のホース収納部８からの引き出し作業の際に、消火栓扉１２が邪魔にならず、容易に、その作業をすることができ、又、消火栓扉１２が本体２と着脱可能であることによって、消火栓扉１２を本体２から取り外せば、本体２前方に消火栓扉１２が突出することなしに、前面パネル１１の開口部１１ａを全開の開口状態にすることができ、それにより、ホース７のホース収納部８への収納作業の際に、消火栓扉１２が邪魔にならないのは勿論のこと、広く開口している開口部１１ａからその作業をすることができ、容易に、その作業をすることができる。
【００２８】
即ち、消火栓装置１によれば、消火栓扉１２を開放させても、それがホース７のホース収納部８からの引き出し作業やホース収納部８への収納作業の邪魔にならず、それら作業を容易に行うこともできる。
【００２９】
尚、消火栓装置１において、消火栓扉１２を本体２に着脱可能に設けるのに代えて、下側扉１２ｂの下部を前面パネル１１の開口部１１ａの開口縁下部に扉回動・連結機構、具体的にはヒンジ構造を有する蝶番により連結するか、又は下側扉１２ｂの一方の側部を前面パネル１１の開口部１１ａの開口縁側部の一方に扉回動・連結機構、具体的にはヒンジ構造を有する蝶番により連結する様にしてもよい（第２の扉回動機構）。いずれの場合も、消火栓扉１２を取り外すことはできなくなり、それによる利点は得られなくはなるが、上側扉１２ａが前傾方向に下側扉１２ｂにほぼ折り重なるまで回転移動可能であることに変わりはなく、それによる利点が得られることに変わりはない。また、消火栓扉１２の扉側当接片１２ｆを除くことにより、上側扉１２ａと下側扉１２ｂを折り重ねた状態の消火栓扉１２は、前記第２の扉回動機構の蝶番の作用により、前面パネル１１の開口部１１ａを全開の開口状態にすることができる。
【図面の簡単な説明】
【００３０】
【図１】この発明の消火栓装置を示し、（ａ）が正面図、（ｂ）が平面図（本体内部の図示を含む）である。
【図２】同上を示し、（ａ）、（ｂ）何れも図１（ａ）のＡ−Ａ線断面図であり、（ａ）が消火栓扉の上側扉を下側扉に折り重なるまで移動する状態を示すもので、（ｂ）が消火栓扉を取り外す状態を示すものである。
【図３】同上を示し、図２（ａ）の部分拡大図である。
【図４】同上を示し、図１（ｂ）の部分拡大図である。
【符号の説明】
【００３１】
１      消火栓装置
２      本体
３      消火栓弁
４      メンテナンス弁
５      配管部
６      消火用ノズル
７      消火用ホース
８      ホース収納部
９      消火器収納部
１０    電気機器部
１１    前面パネル
１１ａ  開口部
１１ｂ  パネル側当接片
１１ｃ  受け穴
１１ｅ  開口縁側部折り返し部
１２    消火栓扉
１２ａ  上側扉
１２ｂ  下側扉
１２ｃ  蝶番
１２ｄ  磁石
１２ｅ  ハンドル
１２ｆ  扉側当接片
１３    ストップラバー
１４    丸落とし
１４ａ  ロッド
【図１】
2010104432.tif 000003
【図２】
2010104432.tif 000004
【図３】
2010104432.tif 000005
【図４】
2010104432.tif 000006